(57)【要約】【課題】筐体内に塵埃等が侵入することを防止できる記録再生装置の蓋体及びこの蓋体の開閉機構を提供する。【解決手段】筐体内に挿入された挿入物の排出時に当該挿入物の一部が排出される開口部１５の開閉を行う蓋体１６において、蓋１６は、開口部１５に対して凹部３７が形成され、開口部１５より所定のクリアランスを有し、上記開口部１５から一部排出された上記挿入物を覆って上記開口部１５を閉塞する。【選択図】図１
2004158140.tif 000002
【特許請求の範囲】
【請求項１】
筐体内に挿入された挿入物の排出時に当該挿入物の一部が排出される開口部の開閉を行う記録再生装置の蓋体において、
該蓋体は、上記開口部に対して凹部が形成され、上記開口部を閉塞する際に上記開口部より所定のクリアランスを有し、上記開口部から一部排出された上記挿入物を覆って上記開口部を閉塞することを特徴とする記録再生装置の蓋体。
【請求項２】
上記蓋体は略透明な部材によって形成されていることを特徴とする請求項１記載の記録再生装置の蓋体。
【請求項３】
上記蓋体は、上記開口部を有する筐体に形成された支持部に回動可能に支持されたヒンジ機構が形成され、該ヒンジ機構が回動されることにより上記開口部を開閉するものであり、
上記ヒンジ機構は、上記蓋が上記開口部を開放する方向に過剰に回動されることにより、上記筐体の支持部より分離されることを特徴とする請求項１記載の記録再生装置の蓋体。
【請求項４】
上記蓋体は、上記開口部を有する筐体に形成された支持部に回動可能に支持されたヒンジ機構が形成され、該ヒンジ機構が回動されることにより上記開口部を開閉するものであり、
上記蓋体は、磁石が設けられ、該磁石が上記開口部に設けられた磁性体と磁気吸着することによって上記開口部を覆うことを特徴とする請求項１記載の記録再生装置の蓋体。
【請求項５】
上記蓋体は、上記開口部を有する筐体に形成された支持部に回動可能に支持されたヒンジ機構が形成され、該ヒンジ機構が回動されることにより上記開口部を開閉するものであり、
上記ヒンジ機構は、上記筐体側に形成された弾性部材に回動可能に係合されるトグルバネが設けられて、上記蓋が上記開口部の開方向又は閉方向に移動されることにより該移動方向に上記蓋を付勢することを特徴とする請求項１記載の記録再生装置の蓋体。
【請求項６】
筐体内に挿入された記録媒体の排出時に当該記録媒体の一部が排出される開口部の開閉を行う蓋開閉機構において、
上記開口部に対して凹部が形成され、上記開口部より所定のクリアランスを有し、上記開口部から一部排出された上記記録媒体を覆って上記開口部を閉塞する蓋体と、
上記蓋体と連続して形成され、上記開口部が形成された筐体に形成された支持部に回動可能に支持されたヒンジ機構と、
上記蓋体を上記開口部を開放する方向に回動させるエジェクトレバーとを有する蓋開閉機構。
【請求項７】
上記蓋体は略透明な部材によって形成されていることを特徴とする請求項６記載の蓋開閉機構。
【請求項８】
上記ヒンジ機構は、上記蓋体が上記開口部を開放する方向に過剰に回動されることにより、上記筐体の支持部より分離されることを特徴とする請求項６記載の蓋開閉機構。
【請求項９】
上記蓋体は、磁石が設けられ、該磁石が上記開口部に設けられた磁性体と磁気吸着することによって上記開口部を覆うことを特徴とする請求項６記載の蓋開閉機構。
【請求項１０】
上記ヒンジ機構は、上記筐体側に形成された弾性部材に回動可能に係合されるトグルバネが設けられて、上記蓋体が上記開口部の開方向又は閉方向に移動されることにより該移動方向に上記蓋体を付勢することを特徴とする請求項６記載の蓋開閉機構。
【請求項１１】
上記エジェクトレバーを作動することにより上記筐体内に挿入された記録媒体を上記開口部より排出することを特徴とする請求項６記載の蓋開閉機構。
【請求項１２】
上記記録媒体は磁気テープであり、該磁気テープの記録及び／又は再生装置の開口部を開閉する請求項６記載の蓋開閉機構。
【発明の詳細な説明】
【０００１】
【発明の属する技術分野】
本発明は筐体に設けられた開口部の開閉を行う蓋及びこの開口部の蓋開閉機構に関し、特に記録及び又は再生装置に用いられる記録再生装置の蓋体及び蓋開閉機構に関する。
【０００２】
【従来の技術】
従来より、磁気テープを用いた磁気記録媒体の記録再生装置においては、図１２に示すように、デスクトップ型パソコンやサーバなどに用意されているドライブベイとよばれる筐体内の空間に取り付けられる磁気テープカセットの記録再生装置がある。このようなホスト機器に取り付けられるドライブベイは、３．５インチ、５インチ等、サイズが規格化されており、取り付けられる記録再生装置１００は、装置本体の大きさがこのドライブベイのサイズに制約されている。例えば、３．５インチホームファクタにおいては、記録再生措置１００の装置本体１０１は、図１２に示すように、高さ寸法が４１．２５ｍｍ、幅寸法が１０１．６ｍｍ、奥行き寸法が１５０ｍｍとされている。
【０００３】
また、装置本体１０１は、略直方体状の筐体からなる装置本体１０１の内部に、磁気テープカセット１０２のカセット収納部１０３と、メイン基板設置空間部１０４、装置本体１０１内に挿入される磁気テープカセット１０２のローディング又はアンローディングを行うローディング機構が備えられるローディング機構設置空間部１０５とが備えられている。そして、カセット収納部１０３は、高さ寸法が、磁気テープカセット１０２の移動高さ寸法の０．５ｍｍを含む２９．６ｍｍとされている。メイン基板設置空間部１０４は、高さ寸法が６．６ｍｍとされている。また、カセット収納部１０３及びメイン基板設置空間部１０４は、幅寸法が、装置本体１０１の幅寸法１０１．６ｍｍから装置本体１０１の厚さ寸法の０．８ｍｍ及びクリアランス寸法の０．３ｍｍを除く９９．４ｍｍとされている。また、ローディング機構設置空間部１０５は、高さ寸法が、カセット収納部１０３及びメイン基板設置空間部１０４の高さ寸法を除く５．０５ｍｍとされ、幅寸法が、上記カセット収納部１０３及びメイン基板設置空間部１０４と同様に９９．４ｍｍとされている。
【０００４】
このような記録再生装置１００は、上記規格化されたサイズを有する装置本体１０１内に、磁気テープカセット１０２のローディング及びアンローディングを行うローディング機構と、ローディングされた磁気テープカセット１０２のテープリールを回転駆動させることにより磁気テープを搬送させるリール駆動機構と、磁気テープに対して情報信号の記録又は再生を行う記録再生機構とを備えている。
【０００５】
また、記録再生装置１００は、装置本体１０１の前面に磁気テープカセット１０２が挿入、排出される開口部１０８が設けられている。開口部１０８は、装置本体１０１側に回動自在に形成された蓋部材１０９が設けられている。蓋部材１０９は、開口部１０８の裏面側に設けられたトグルバネにより常時開口部１０８を閉塞する方向に付勢されている。そして、蓋部材１０９は、磁気テープカセット１０２が挿入される際には、磁気テープカセット１０２の挿入端側側面部に押圧されることのより回動され開口部１０８を開放する。また、蓋部材１０９は、磁気テープカセット１０２が排出される際には、装置本体１０１内に設けられた回動機構により回動され、開口部１０８を開放する。
【０００６】
また、記録再生装置１００は、装置本体１０１の側面及び背面に排気孔１１０が穿設され、詳細を省略する冷却ファンによって排気孔１１０から装置本体１０１内に籠もる熱気を排気する。
【０００７】
【特許文献１】
特開２０００−３３０１７２
【０００８】
【発明が解決しようとする課題】
上述したように、記録再生装置１００の蓋部材１０９は、高さ寸法が開口部１０８の高さ寸法よりも若干短く形成され、開口部１０８を閉塞した際に、開口部１０８の下辺部との間にクリアランスＣを形成する。従って、装置本体１０１は、内部が密閉されず、塵埃等が装置本体１０１内に侵入してしまう。
【０００９】
ここで、蓋部材１０９の高さ寸法を開口部１０８の高さ寸法に合わせてクリアランスＣを塞ごうとすると、蓋部材１０９の開閉動作に支障を来すのみならず、蓋部材１０９の回動する半径が広がってしまう。従って、装置本体１０１は、蓋部材１０９の回動するスペースを確保する必要があるが、上記規格化されたドライブベイに取り付けられる装置本体１０１の制約された筐体内では十分な蓋部材１０９の回動するスペースを確保することが難しい。
【００１０】
また、装置本体１０１内よりアンローディングされた磁気テープカセット１０２は、開口部１０８からの引き出し易さを確保するために、開口部１０８より一部を排出された状態で保持される。このとき、開口部１０８は、磁気テープカセット１０２の挿入の便宜上、磁気テープカセット１０２よりもやや広く形成されているため、磁気テープカセット１０２と開口部１０８との間に隙間ができてしまい、この隙間から塵埃が侵入するおそれがある。特に、近年、企業等においては、業務に必要なデータのバックアップに用いるサーバ等は、クリーンルームではなく各オフィス毎に設置されているため、塵埃等が発生しやすい状態にあり、磁気テープカセット１０２がアンローディングされたまま開口部１０８より一部排出された状態で放置されると、磁気テープカセット１０２と開口部１０８との間にできる隙間から塵埃等が侵入するおそれがある。
【００１１】
さらに、記録再生装置１００の駆動中には、装置本体１０１の熱対策から、冷却ファンが駆動され、装置本体１０１に穿設された排気孔１１０より熱気が排気されるが、この冷却ファンの吸引力によって開口部１０８から蓋部の塵埃等が吸い込まれてしまうおそれがある。
【００１２】
このように、開口部１０８から装置本体１０１内に塵埃等が侵入すると、開口部１０８近傍に設置された記録再生機構のドラムヘッドや磁気テープ自体に付着してデータ信号の書き込みエラーや読み出しエラーを発生させてしまう。
【００１３】
そこで、本発明は、筐体内に塵埃等が侵入することを防止できる蓋及びこの蓋の開閉機構を提供することを目的とする。
【００１４】
【課題を解決するための手段】
上述した課題を解決するために、本発明に係る記録再生装置の蓋体は、筐体内に挿入された挿入物の排出時に当該挿入物の一部が排出される開口部の開閉を行う記録再生装置の蓋体において、該蓋体は、上記開口部に対して凹部が形成され、上記開口部を閉塞する際に上記開口部より所定のクリアランスを有し、上記開口部から一部排出された上記挿入物を覆って上記開口部を閉塞する。
【００１５】
また、本発明に係る蓋開閉機構は、筐体内に挿入された記録媒体の排出時に当該記録媒体の一部が排出される開口部の開閉を行う蓋開閉機構において、上記開口部に対して凹部が形成され、上記開口部より所定のクリアランスを有し、上記開口部から一部排出された上記記録媒体を覆って上記開口部を閉塞する蓋体と、上記蓋体と連続して形成され、上記開口部が形成された筐体に形成された支持部に回動可能に支持されたヒンジ機構と、上記蓋体を上記開口部を開放する方向に回動させるエジェクトレバーとを有する。
【００１６】
【発明の実施の形態】
以下、本発明が適用された蓋記録再生装置の蓋体及び蓋開閉機構について図面を参照しながら詳細に説明する。この記録再生装置の蓋体及び蓋開閉機構は、例えば高度の塵埃対策が求められる高密度磁気記録媒体の記録再生装置に用いられるものである。この記録再生装置１は、図１に示すように、デスクトップ型パソコンやサーバなどのホスト機器２に用意されているドライブベイ３に取り付けられる磁気テープカセットの記録再生用の装置である。
【００１７】
具体的に、記録再生装置１は、ホスト機器２の筐体２ａの前面に開口されたドライブベイ３に取り付けられ、ホスト機器２の外部より磁気テープカセット５等の記録メディアを挿入することができる。この記録再生装置１が収納されるドライブベイ３は、いわゆる３．５インチのホームファクタ用に設計されたものであり、収納される記録再生装置１の装置本体６の外筐サイズがこのドライブベイ３のサイズに規定されるものである。すなわち、記録再生装置１の装置本体６は、図１に示すように、高さ寸法が４１．２５ｍｍ、幅寸法が１０１．６ｍｍ、奥行き寸法が１５０ｍｍとされている。
【００１８】
また、装置本体６は、略直方体状の筐体からなる装置本体６の内部に、磁気テープカセット５のカセット収納部１０と、メイン基板設置空間部１１、装置本体６内に挿入される磁気テープカセット５のローディング又はアンローディングを行うローディング機構が備えられるローディング機構設置空間部１２とが備えられている。そして、カセット収納部１０は、高さ寸法が、磁気テープカセット５の移動高さ寸法の０．５ｍｍを含む２９．６ｍｍとされている。メイン基板設置空間部１１は、高さ寸法が６．６ｍｍとされている。また、カセット収納部１０及びメイン基板設置空間部１１は、幅寸法が、装置本体６の幅寸法１０１．６ｍｍから装置本体６の厚さ寸法の０．８ｍｍ及びクリアランス寸法の０．３ｍｍを除く９９．４ｍｍとされている。また、ローディング機構設置空間部１２は、高さ寸法が、カセット収納部１０及びメイン基板設置空間部１１の高さ寸法を除く５．０５ｍｍとされ、幅寸法が、上記カセット収納部１０及びメイン基板設置空間部１１と同様に９９．４ｍｍとされている。
【００１９】
この記録再生装置１に用いられる磁気テープカセット５は、例えばＱＩＣやＤＬＴ等の磁気テープのカセットであり、企業などで各コンピュータに保存されたデータやプログラムを、破損やコンピュータウイルス感染などの事態に備えてバックアップしておく等の用途に用いられる。
【００２０】
このような記録再生装置１は、上記規格化されたサイズに形成された装置本体６と、この装置本体６内に収納され、磁気テープカセット５のローディング及びアンローディングを行うローディング機構と、ローディングされた磁気テープカセット５のテープリールを回転駆動させることによりテープリールに巻回されている磁気テープを搬送させるリール駆動機構と、磁気テープに対して情報信号の記録又は再生を行う記録再生機構と、装置本体６内を冷却する冷却ファンとを備えている。
【００２１】
記録再生装置１の装置本体６は、略直方体状に形成され、底面部６ａ及び背面部６ｂに冷却ファンによる送風が排気される排気孔１９が形成されている。また、装置本体６は、前面部６ｃにフロントパネル１４が設けられている。
【００２２】
装置本体６の前面部に設けられているフロントパネル１４は、ＡＢＳ（アクリロニトリルブタジエンスチレン）、ＰＣ（ポリカーボネート）等の樹脂により形成され、図２及び図３に示すように、磁気テープカセット５が挿入、排出される開口部１５と、フロントパネル１４の表面側１４ａ側に配設され、開口部１５より装置本体６内に塵埃等が侵入するのを防ぐ防塵蓋１６と、防塵蓋１６を開口部１５の開放方向に回動させる開放レバー１７と、記録再生装置１の駆動状態を表示する表示部１８とが形成されている。
【００２３】
フロントパネル１４は、開口部１５が形成された表面側１４ａの主面部より開放レバー１７及び表示部１８が形成された操作部２１が、両側面部を除き、張り出し形成されている。この操作部２１の両側面部は、後述する防塵蓋１６の回動アームの回動領域２２となる。また、フロントパネル１４は、底面部１４ｃが略矩形状に形成することにより、回動領域２２にフロントパネルの底面部１４ｃが張り出され、防塵蓋１６の回動アームの回動を係止する係止板２３が形成されている。
【００２４】
磁気テープカセット５が挿入、排出される開口部１５は、上述したカセット収納部１０の幅寸法と同一の幅寸法に形成されると共に、磁気テープカセット５の挿脱の便宜上、磁気テープカセット５の高さ寸法よりもやや高い高さに形成されている。
【００２５】
この開口部１５には、装置本体６側に回動自在に形成された蓋部材２５が設けられている。蓋部材２５は、フロントパネル１４の裏面側１４ｂに設けられているトグルバネ２６により、フロントパネル１４の裏面側１４ｂより表面側１４ａに向かって常時開口部１５を閉塞する方向に付勢されている。蓋部材２５は、側面部にストッパー片２７が突出して形成され、開口部１５を閉塞する方向に付勢されることによりこのストッパー片２７がフロントパネル１４の裏面側１４ｂに当接され、開口部１５を閉塞している。
【００２６】
また、蓋部材２５は、高さ寸法が開口部１５の高さ寸法よりも若干短く形成されており、開口部１５を閉塞した際に、開口部１５の下辺部との間にクリアランスＣを形成する。これは、蓋部材２５の高さ寸法と開口部１５の高さ寸法に合わせてクリアランスＣを塞ごうとすると、蓋部材２５の開閉動作に支障を来すのみならず、フロントパネル１４の裏面側１４ｂに蓋部材２５の回動するに十分なスペースを確保しなければならないが、上述したように規格化されたドライブベイ３に取り付けられる装置本体６の制約された筐体内では蓋部材２５の回動する十分なスペースを確保することが難しいためである。
【００２７】
このような蓋部材２５は、磁気テープカセット５が開口部１５より挿入されると、磁気テープカセット５の挿入端部に押圧されてフロントパネル１４の裏面側１４ｂに回動され、開口部１５を開放する。また、蓋部材２５は、磁気テープカセット５が排出される際には、装置本体６内に設けられた詳細を省略する回動機構により回動され、開口部１５を開放する。
【００２８】
また、フロントパネル１４は、表面側１４ａに、開口部１５の上下辺部に沿って、金属板２９が貼着されている。この金属板２９は、後述する防塵蓋１６に設けられたマグネットと吸着することにより、防塵蓋１６を開口部１５に保持し、開口部１５を閉塞させるものである。この金属板２９は、突条に形成され、防塵壁１６が開口部１５を閉塞する際に、防塵壁１６にインサート成型されたマグネットと当接して磁気吸引される。
【００２９】
また、フロントパネル１４は、操作部２１の側面部に設けられた防塵蓋１６の回動領域２２に、防塵蓋１６が係合される係合孔３０が形成されている。係合孔３０は、防塵蓋１６を回動自在に係合する回動軸３１が形成されている。この回転軸３１は、図４に示すように、略Ｄ字状にカットされ断面が弓形に形成されている。そして、回動軸３１は、略Ｄ字状にカットされた端面３１ａを、フロントパネル１４の表面側１４ａに向かって上向きに傾斜して形成されている。このような回動軸３１は、防塵蓋１６の回動アームに形成された係合部が回動自在に係合される。このとき、回動軸３１は、端面３１ａと係合部との間にクリアランスが形成される。
【００３０】
回動軸３１に回動自在に係合し、開口部１５を閉塞することにより装置本体６内への塵埃等の侵入を防止する防塵蓋１６は、開口部１５に対応して略矩形状に凹設された蓋本体部３５と、この蓋本体部３５の両側面部より下方に延設されフロントパネル１４に形成された回動軸３１と回動可能に係合された回動アーム３６とが形成されている。
【００３１】
この蓋本体部３５は、開口部１５を覆うに十分な大きさの矩形凹部３７が形成されると共に、開口部１５を閉塞したときにフロントパネル１４の表面側１４ａに当接される上下辺部３５ａ、３５ｂに、上述したフロントパネル１４に貼着された金属板２９と磁気吸引するマグネット３８がインサート成型されている。マグネット３８は、図５に示すように、蓋本体部３５の上下辺部３５ａ、ｂに形成された長孔３９より外方に臨まされている。このマグネット３８は、磁気テープカセット５内に巻回されている磁気テープに対して何ら影響を与えない程度の微弱な磁力しか有しないものが使用されている。また、マグネット３８は、蓋本体部３５内にインサート成型されているため、万が一磁気テープカセット５から磁気テープが外部に送り出されてしまった場合でも、磁気テープと直接接触することがなく、磁気テープに記録された情報に影響を与えることはない。
【００３２】
蓋本体部３５の矩形凹部３７は、図６に示すように、開口部１５を覆うに十分な大きさを有し、また、磁気テープカセット５が装置本体６よりアンローディングされ、開口部１５よりその一部が排出されたときにも、磁気テープカセット５の排出長さよりも深い奥行きを有する。従って、防塵蓋１６は、開口部１５を閉塞した状態で磁気テープカセット５がアンローディングされたときにも、確実に開口部１５を閉塞することができ、塵埃等が装置本体６内に侵入することを防止することができる。
【００３３】
また、開口部１５の近傍に貼着された金属板２９と磁気吸引するマグネット３８は、蓋本体部３５の上下辺部３５ａ、３５ｂにインサート成型されることにより、蓋本体部３５の表面には露出されない。しかし、上述したように、開口部１５の金属板２９が突条に形成されているため、防塵壁１６は、突条に形成された金属板２９が蓋本体部３５の上下辺部３５ａ、ｂに形成された長孔３９内に進入し、インサート成型されたマグネット３８と当接して磁気吸着され、確実に開口部１５を閉塞することができる。なお、マグネット３８と金属板２９とは防塵蓋をフロントパネル１４の表面側１４ａに密着させるだけの保持力が維持できれば必ずしも当設している必要はなく、近接した状態であってもよい。
【００３４】
なお、蓋本体部３５は、外部より透視可能な透明又は半透明の材料によって形成されている。従って、記録再生装置１は、装置本体６内にアンローディングされて開口部１５より一部排出された磁気テープカセット５がある場合には、外部より目視できるため、防塵蓋１６により開口部１５が閉塞されている場合に、逐一装置本体６内に磁気テープカートリッジ５が挿入されているか否かを確認する必要がない。
【００３５】
蓋本体部３５を回動可能に支持する回動アーム３６は、図４に示すように、蓋本体部３５の両側面部より下方に延設されたアーム部４０と、アーム部４０の先端部に形成されフロントパネル１４に形成された回動軸３１と回動自在に係合された係合部４１とを有する。
【００３６】
アーム部４０は、蓋本体部３５の基端部より先端部に形成された係合部４１にかけて、フロントパネル１４との突き当て面が直線状に形成されるとともに、この突き当て面と反対側にテーパ面４０ａが形成されている。テーパ面４０ａには、防塵蓋１６が開口部１５を開放する方向に回動されたときに、フロントパネル１４に設けられた係止板２３に当設する突起部４２が形成されている。このアーム部４０は、防塵蓋１６が回動されることにより突起部４２が係止板２３に当たり防塵蓋１６の回動動作が規制される。
【００３７】
回動軸３１に係合される係合部４１は、中空の円柱の一部に開放端４１ａが形成され断面略Ｃ字状に形成されている。そして係合部４１は、開放端４１ａより回動軸３１に回動可能に係合されている。
【００３８】
以上のような構成を有する防塵蓋１６は、係合部４１が回動軸３１に係合されることによりフロントパネル１４に取り付けられる。そして防塵蓋１６は、蓋本体部３５にインサート成型されたマグネット３８が開口部１５近傍に貼着された金属板２９と磁気吸着することにより、矩形凹部３７によって開口部１５を覆う。
【００３９】
また、防塵蓋１６は、後述する開放レバー１７によって開口部１５を開放する方向に押圧されることにより、係合部４１が回動軸３１を回動し、開口部１５を開放する。防塵蓋１６は、図４に示すように、回動アーム３６のアーム部４０がフロントパネル１４の係止板２３に係止される。このとき、防塵蓋１６は、アーム部４０に形成された突起部４２が係止板２３の縁部２３ａに当接されると共に、係合部４１と回動軸３１の端面３１ａとのあいだにクリアランスが形成される。
【００４０】
この状態において、防塵蓋１６は、さらに開口部１５の開放する回動方向である図７中矢印Ｄ方向に外力が加えられると、アーム部４０の突起部４２と係止板２３の縁部２３ａとの接点を支点として、外力が係合部４１側に伝わる。係合部４１と回動軸３１の端面３１ａとの間にはクリアランスが形成されているため、外力が加わることによって、係合部４１がクリアランス内を移動して回動軸３１の端面３１ａに係合部４１の開放端４１ａが摺動する。端面３１ａは、フロントパネル１４の表面側１４ａに向かって上向きに傾斜しているため、この端面３１ａと開放端４１ａとの接点を支点に、係合部４１が開放端４１ａより回動軸３１から外れる図７中矢印Ｇ方向に外力が伝わると共に、突起部４２が係止板２３の縁部２３ａを乗り越え、防塵蓋１６を同じく回動軸３１から外れる方向に移動させる。加えて、係合部４１自体の弾性により、開放端４１ａが広がる。従って、防塵蓋１６は、開口部１５を開放した状態でさらに外力が無理に加わると、回動軸３１より係合部４１が外れ、係合部４１や回動軸３１破損することがない。
【００４１】
すなわち、仮に回動軸３１に端面３１ａが形成されず、円柱状に形成されている場合には、防塵蓋１６が開口部１５を開放しアーム部４０が係止板２３の縁部２３ａに当接されることにより係止された状態において、さらに開口部１５の開放する回動方向である図７中矢印Ｄ方向に外力が加えられても、係合部４１が回動軸３１の外周部と接しているため、係合部４１の開放端４１ａを移動させることができず、外力を防塵蓋１６が回動軸３１から外す方向に向けることができない。従って、アーム部４０に形成された突起部４２も係止板２３の縁部２３ａを乗り越えることができず、防塵蓋１６は回動軸３１より外れることがなく、係合部４１や回動軸３１が破損してしまう危険がある。
【００４２】
また、仮にアーム部４０に突起部４２が形成されず、平坦に形成された場合には、突起部４２が係止板２３の縁部２３ａを乗り越えることにより防塵蓋１６を回動軸３１から外れる方向に向かう力が働かないため、防塵蓋１６は回動軸３１より外れることがなく、係合部４１や回動軸３１が破損してしまう危険がある。
【００４３】
これに対して、本発明が適用された記録再生装置においては、アーム部４０に係止板２３の縁部２３ａと当接する突起部４２を形成すると共に、回動軸３１にフロントパネル１４の表面側に向かって上向きに傾斜する端面３１ａを形成しているため、防塵蓋１６に無理に外力が加わった場合にも、係合部４１が回動軸３１より容易に外れ、係合部４１や回動軸３１破損することがない。
【００４４】
なお、外れた防塵蓋１６は、回動軸３１がＤカットされた端面３１ａから、係合部４１の開放端４１ａを挿入させることにより容易に回動軸３１に係合させることができる。
【００４５】
開口部１５を閉塞した防塵蓋１６を回動させ開口部１５を開放させる開放レバー１７は、図６に示すように、断面略Ｌ字状に形成され、フロントパネル１４の表面側に突出されるレバー部５１と、レバー部５１の基端部より立ち上がり形成され防塵蓋１６を押圧する押圧片５２と、レバー部５１と押圧片５２との接点部に形成された略円柱形状の回動支柱５３とを有する。
【００４６】
この開放レバー１７は、図２に示すように、フロントパネル１４の表面側１４ａに張り出し形成された操作部２１に回動支柱５３が回動自在に係止され、また、操作部２１の前面部２１ａに形成された開口５５よりレバー部５１が突出され、さらに操作部２１の上辺部２１ｂに形成された開口５６より押圧片５２が突出されている。そして、開放レバー１７は、レバー部５１が押下されると、回動支柱５３を支点としててこの原理により押圧片５２がフロントパネル１４の前面方向にである図８中矢印Ｅ方向に回動される。
【００４７】
以上のような開放レバー１７は、防塵蓋１６が開口部１５を閉塞すると、押圧片５２が防塵蓋１６の蓋本体部３５の下辺部３５ｂに押圧されて、回動支柱５３を支点にレバー部５１が上方に回動される。この状態において、開放レバー１７は、装置本体６内に挿入された磁気テープカセット５を排出する際や、磁気テープカセット５を挿入する際に、レバー部５１が押下されると、回動支柱５３を支点として押圧片５２がフロントパネル１４の前面方向である図８中矢印Ｅ方向に回動される。これにより押圧片５２が防塵蓋１６の蓋本体部３５の下辺部３５ｂを押圧するため、防塵蓋１６は、蓋本体部３５にインサート成型されたマグネット３８とフロントパネル１４の表面側１４ａに貼着された金属板２９との磁気吸引力を超えて防塵蓋１６の自重によって開口部１５を開放させる図８中矢印Ｏ方向に回動される。
【００４８】
また、開放レバー１７は、図６に示すように、フロントパネル１４内に配設された磁気テープカセット５のイジェクトスイッチ６０と当接されている。イジェクトスイッチ６０は、フロントパネル１４の裏面側１４ｂに設けられ、スイッチ板６１を介して開放レバー１７のレバー部５１に押圧される。イジェクトスイッチ６０が押圧されると、記録再生装置１は、装置本体６内にローディングされた磁気テープカセット５を開口部１５より排出する。
【００４９】
イジェクトスイッチ６０は、開放レバー１７のレバー部５１の背面側に配設され、スイッチ板６１と当接されている。そしてイジェクトスイッチ６０は、スイッチ板６１が開放レバー１７に押圧されることによりスイッチ板６１に押圧されると、磁気テープカセット５のアンローディングを行うローディング機構により装置本体６内に装着された磁気テープカセット５を開口部１５より排出させる。
【００５０】
イジェクトスイッチ６０を押圧するスイッチ板６１は、一面側に開放レバー１７のレバー部５１に押圧される押圧部６１ａが突設され、他面側にイジェクトスイッチ６０を押圧する押圧突起６１ｂが形成されている。また、スイッチ板６１は、フロントパネル１４の裏面側１４ｂに板バネ６２と重ねられてビス止めされている。従って、スイッチ板６１は、板バネ６２により、常時フロントパネル１４の表面側１４ａに付勢されている。
【００５１】
そして、スイッチ板６１は、開放レバー１７のレバー部５１が押下されると、図８に示すように、押圧部６１ａがレバー部５１の背面部に押圧され、板バネ６２の付勢力に対抗してフロントパネル１４の裏面側４ｂに付勢されて、押圧突起６１ｂがイジェクトスイッチ６０を押圧する。イジェクトスイッチ６０は、スイッチ板６１の押圧突起６１ｂに押圧されると、装置本体６内にローディングされている磁気テープカセット５を開口部１５より排出させる。このとき、開口部１５を閉塞している防塵蓋１６は、開放レバー１７が押下されることにより開口部１５を開放する方向に回動されている。従って、記録再生装置１は、排出された磁気テープカセット５を開口部１５から取り出すことができる。
【００５２】
以上のような記録再生装置１は、装置本体６内に磁気テープカセット５を挿入する場合には、開放レバー１７を押下して押圧片５２により防塵蓋１６の蓋本体部３５が図８中矢印Ｏ方向に回動され、開口部１５が開放される。そして、記録再生装置１は、磁気テープカセット５が挿入されるとユーザによって防塵蓋１６が図８中反矢印Ｏ方向に回動され、開口部１５が閉塞される。
【００５３】
このとき、防塵蓋１６は、蓋本体部３５の上下辺部３５ａ、ｂにインサート成型されたマグネット３８が開口部１５近傍に貼着された金属板２９と磁気吸着することにより開口部１５を覆う。この防塵蓋１６は、蓋本体部３５の上下辺部３５ａ、ｂに長孔３９が形成されインサート成型されたマグネット３８を外方に臨ませると共に、金属板２９を突条に形成しているため、金属板２９が蓋本体部３５内に進入し、インサート成型されたマグネット３８と密着される。また、マグネット３８を蓋本体部３５の上下辺部３５ａ、ｂに設け、金属板２９を開口部１５の上下に貼着させることにより、より強固に防塵蓋１６をフロントパネル１４に吸着させている。従って、磁気テープへ何ら影響を与えない程度の微弱な磁力を有するマグネット３８を用いた場合にも、防塵蓋１６は確実に開口部１５を覆うことができる。
【００５４】
開口部１５に磁気テープカセット５を挿入されたことが検出されると、記録再生装置１は、ローディング機構により磁気テープカセット５がローディング位置に搬送し、情報信号の記録又は再生操作を行う。このとき、記録再生装置１は、装置本体６内の過熱を防止する冷却ファンが駆動され、開口部１５からも装置本体６内に空気が吸引されるが、開口部１５が防塵蓋１６により閉塞されているため、塵埃等が装置本体６内に進入することを防止することができる。
【００５５】
次いで、記録再生装置１は、磁気テープカセット５に対して情報信号の記録又は再生が終了すると、開放レバー１７のレバー部５１が押下され、磁気テープカセット５が排出される。このとき、防塵蓋１６は、レバー部５１が押下されることにより回動支柱５３を中心に図８中矢印Ｅ方向に回動された押圧片５２に押圧され、開口部１５を開放する図８中矢印Ｏ方向に押圧される。防塵蓋１６は、蓋本体部３５にインサート成型されたマグネット３８とフロントパネル１４の表面側１４ａに貼着された金属板２９との磁気吸引力を超えて防塵蓋１６の自重によって開口部１５を開放させる図８中矢印Ｏ方向に回動される。同時に、記録再生装置１は、開放レバー１７に押圧されてスイッチ板６１の押圧部６１ａがイジェクトスイッチ６０を押圧し、ユーザは容易に装置本体６内に装着された磁気テープカセット５を取り出すことができる。
【００５６】
また、記録再生装置１は、防塵蓋１６が開口部１５を開放する図８中矢印Ｏ方向に回動されると、図４に示すように、回動アーム３６のアーム部４０に形成された突起部４２がフロントパネル１４の係止板２３の縁部２３ａに当接されて支持されている。この状態において、記録再生装置１は、防塵蓋１６がさらに開口部１５の開放方向である図７中矢印Ｄ方向に外力が加えられると、アーム部４０の突起部４２と係止板２３の縁部２３ａとの接点を支点として、当該外力が係合部４１側に伝わる。係合部４１と回動軸３１の端面３１ａとの間にはクリアランスが形成されているため、外力が加わることによって、係合部４１がクリアランス内を移動して回動軸３１の端面３１ａと係合部４１の開放端４１ａとが接する。端面３１ａは、フロントパネル１４の表面側１４ａに向かって上向きに傾斜しているため、図５に示すように、この端面３１ａと開放端４１ａとの接点を支点に、係合部４１が開放端４１ａより回動軸３１から外れる方向に外力が伝わると共に、突起部４２が係止板２３の縁部２３ａを乗り越え、防塵壁１６を同じく回動軸３１から外れる図７中矢印Ｇ方向に移動させる。従って、防塵壁１６は、開口部１５を開放した状態でさらに外力が無理に加わると、回動軸３１より係合部４１が外れ、係合部４１や回動軸３１が破損することが防止されている。
【００５７】
以上のような本発明が適用された記録再生装置１によれば、磁気テープカセット５の挿入又は排出を行う場合を除いて、開口部１５が防塵蓋１６により閉塞されて使用される。従って、開口部１５と蓋部材２５との間にクリアランスＣが形成されているにもかかわらず、装置本体６内に塵埃等が侵入することを防止することができる。
【００５８】
すなわち、装置本体６内に装着された磁気テープカセット５に対して情報信号の記録又は再生を行う際に、装置本体６内の熱気を排気する冷却ファンが駆動され、開口部１５より外気が吸引される場合でも、防塵蓋１６に覆われているため、塵埃等が外部より侵入することが防止できる。
【００５９】
また、磁気テープカセット５がアンローディングされて、開口部１５よりその一部のみが排出されたままの状態においても、開口部１５を覆う防塵蓋１６の奥行きが磁気テープカセット５の排出長さよりも長く設けられているため、磁気テープカセット５の一部が開口部１５より排出されたまま開口部１５を覆うことができ、装置本体６内に外部の塵埃等が侵入することを防止することができる。
【００６０】
従って、本発明が適用された記録再生装置１は、開口部１５から塵埃等が侵入することを防止することができ、開口部１５の近傍に設置された記録再生機構のドラムヘッドや磁気テープ自体に塵埃等が付着しデータ信号の書き込みエラーや読み出しエラーの発生を防止することができる。
【００６１】
図９は、本発明に係る蓋及び蓋開閉機構を適用した記録再生装置１と、適用しない従来の記録再生装置との防塵性能を、２種類の記録再生装置（ＳＤＸ−５００Ｃ、ＳＤＸ−７００Ｃ）でそれぞれ比較したグラフである。これによると、塵埃等が記録再生装置の装置本体内に侵入し、ドラムヘッドや磁気テープに付着しデータの記録又は再生のエラーが発生した時間は、従来の記録再生装置では６時間又は２時間であったのに対して、本発明が適用された記録再生装置１では５２時間又は２８時間と、何れの記録再生装置によっても格段にエラー発生が生じるまでの時間が長くなっている。
【００６２】
特に、近年、企業においては、業務に必要なデータのバックアップ用に用いるサーバ等は、クリーンルームではなく各オフィス毎に設置される場合も多く、塵埃等が発生しやすい状態にあるが、本発明が適用された記録再生装置１によれば、防塵蓋１６により開口部１５が覆われているため、塵埃等が装置本体６内に進入することを確実に防止することができる。
【００６３】
さらに、本発明が適用された記録再生装置１は、開口部１５を開口した防塵蓋１６に対して開口部１５の開口方向に過剰な外力が加わった場合には、防塵蓋１６がフロントパネル１４から取り外されるため、防塵蓋１６又はフロントパネル１４側に無理な力がかかって破損することを防止することができる。
【００６４】
次いで、本発明が適用された記録再生装置の実施の形態について説明する。なお、上記記録再生装置１と同一の部材については同一の符号を付してその詳細を省略する。この記録再生装置７０は、防塵蓋の開閉を、マグネットではなく、トグルバネ等の弾性部材を用いて行うものである。
【００６５】
この記録再生装置７０は、図１０に示すように、フロントパネル１４の操作部２１の側面部に設けられた防塵蓋７１の回動領域２２に、防塵蓋７１が係合される係合孔３０が形成されている。係合孔３０は、防塵蓋７１を回動自在に係合する回動軸３１及び防塵蓋７１を開口部１５の開方向又は閉方向に付勢するトグルバネ７２が立設されている。このトグルバネ７２は、フロントパネル１４の底面部１４ｃにビス止めされることにより設けられている。また、トグルバネ７２は、図１０に示すように、フロントパネル１４の表面側１４ａに向かって凸状に屈曲する屈曲部７２ａが形成されている。
【００６６】
記録再生装置７０のフロントパネル１４に形成された開口部１５の開閉を行う防塵蓋７１は、開口部１５に対応して略矩形状に凹設された蓋本体部７３と、この蓋本体部７３の両側面部より下方に延設されフロントパネル１４に形成された回動軸３１及びトグルバネ７２に係合された回動アーム７５とが形成されている。
【００６７】
蓋本体部７３は、上述した蓋本体部３５と同様に、開口部１５を覆うに十分な大木の矩形凹部７６と、開口部１４の近傍に貼着された凸状の金属板２９と磁気吸着されるマグネット７７がインサート成型されている。
【００６８】
蓋本体部７３を回動可能に支持する回動アーム７５は、蓋本体部７３の両側面部より下方に延設されたアーム部８０と、アーム部８０の先端部に形成されフロントパネル１４された回動軸３１と回動自在に係合された係合部８１と、係合部８１より延設されトグルバネ７２に付勢される付勢部８２とを有する。
【００６９】
アーム部８０は、上記アーム部４０と同様に、テーパ面８０ａが形成され、このテーパ面８０ａにフロントパネル１４の係止板２３に当接する突起部８４が形成されている。また、係合部８１は、上記係合部８１と同様に、断面略Ｃ字状に形成され、開放端８１ａより回動軸３１に回動可能に係合されている。
【００７０】
付勢部８２は、係合部８１の開放端８１ａより延設された先端に設けられ、略球状に形成されている。この付勢部８２は、トグルバネ７２に当接され、常時トグルバネ７２により防塵蓋７１を開口部１５の開方向又は閉方向に付勢されている。
【００７１】
すなわち、付勢部８２は、トグルバネ７２の屈曲部７２ａよりも上方に位置しているときには、トグルバネ７２により上方に付勢される。付勢部８２が上方である図１０中矢印Ｈ方向に付勢されると、蓋本体部７３は、係合部８１が回動軸３１を回動することにより開口部１５を開放する図１０中矢印Ｉ方向に回動する。また、付勢部８２は、トグルバネ７２の屈曲部７２ａよりも下方に位置しているときには、トグルバネ７２により下方に付勢される。付勢部８２が下方である図１１中矢印Ｊ方向に付勢されると、蓋本体部７３は、係合部８１が回動軸３１を回動することにより開口部１５を閉塞する図１１中矢印Ｋ方向に回動する。
【００７２】
以上のような記録再生装置７０は、装置本体６内に挿入された磁気テープカセット５を排出し、又は装置本体６内に磁気テープカセット５を挿入する際には、ユーザの手によって開口部１５を閉塞している防塵蓋７１を開口部１５を開放する図１０中矢印Ｉ方向に移動させる。これに伴い、トグルバネ７２により下方に付勢されていた付勢部８２は、係合部８１を中心に上方に移動され、トグルバネ７２の屈曲部７２ａを乗り越えられ、上方である図１０中矢印Ｈ方向への付勢力が与えられる。付勢部８２がトグルバネ７２により上方に付勢されると、防塵蓋７１の蓋本体部７３は、係合部８１が回動軸３１を回動することにより図１０中矢印Ｉ方向に回動し、開口部１５を開放する。なお、防塵蓋７１は、回動アーム７５のアーム部８０に形成された突起部８４がフロントパネル１４の係止板２３の縁部２３ａに当接されることによりフロントパネル１４の底面部１４ｃに係止される。
【００７３】
また、記録再生装置７０は、磁気テープカセット５が挿入され、又は排出された後には、ユーザの手によって開口部１５を開放している防塵蓋７１を、開口部１５を閉塞する図１１中矢印Ｋ方向に移動される。これに伴い、トグルバネ７２により上方に付勢されていた付勢部８２は、係合部８１を中心に下方である図１１中矢印Ｊ方向に移動され、トグルバネ７２の屈曲部７２ａを乗り越えられ、下方への付勢力が与えられる。付勢部８２がトグルバネ７２により下方へ付勢されると、防塵蓋７１の蓋本体部７３は、係合部８１が回動軸３１を回動することにより図１１中矢印Ｋ方向に回動し、開口部１５を閉塞する。
【００７４】
以上のような記録再生装置７０によれば、マグネットを用いることなく防塵蓋７１を移動させ、開口部１５を閉塞することができる。また、このような記録再生装置７０においても、上記記録再生装置１と同様に、開口部１５から塵埃等が侵入することを防止することができ、開口部１５の近傍に設置された記録再生機構のドラムヘッドや磁気テープ自体に塵埃等が付着しデータ信号の書き込みエラーや読み出しエラーの発生を防止することができる。
【００７５】
また、記録再生装置７０は、開口部１５を開口した防塵蓋７１に対して開口部１５の開口方向に過剰な外力が加わった場合には、防塵蓋７１がフロントパネル１４から取り外されるため、防塵蓋７１又はフロントパネル１４側に無理な力がかかって破損することを防止することができる。
【００７６】
以上、本発明が適用された記録再生装置について説明したが、本発明に係る記録再生装置の蓋体蓋及び蓋開閉機構は、上述した記録再生装置以外の塵埃等を嫌う電子機器の開口部に用いてもよい。また、記録再生装置の記録媒体としては、磁気テープの他にも、磁気ディスク、光ディスク、光磁気ディスク等の記録媒体を用いてもよい。さらに、記録再生装置は、サーバ等のホスト機器に組み込まれるものでなく、単体で使用される記録再生装置その他の電子機器に用いてもよい。
【００７７】
また、防塵蓋に矩形凹部が形成されず、略平板状に形成すると共に、アンローディング時に開口部より磁気テープカセットの端部が排出されないようにすることによっても同様の効果を得ることができる。この場合、開口部の幅を少なくともユーザが開口部に指を挿入し磁気テープカセットの側面を把持できる程度に広く形成する必要がある。
【００７８】
【発明の効果】
以上、詳細に説明したように、本発明に係る記録再生装置の蓋体及び蓋開閉機構によれば、開口部が防塵蓋により閉塞されて使用される。従って、開口部と蓋部材との間にクリアランスが形成されているにもかかわらず、開口部より塵埃等が侵入することを防止することができる。
【００７９】
また、例えば、磁気テープカセットがアンローディングされて、開口部よりその一部のみが排出されたままの状態においても、開口部を覆う防塵蓋の奥行きが磁気テープカセットの排出長さよりも長く設けられているため、磁気テープカセットの一部が開口部より排出されたまま開口部を覆うことができ、開口部より外部の塵埃等が侵入することを防止することができる。
【００８０】
従って、本発明を記録再生装置に適用すれば、開口部から塵埃等が侵入することを防止することができ、開口部の近傍に設置された記録再生機構のドラムヘッドや磁気テープ自体に塵埃等が付着しデータ信号の書き込みエラーや読み出しエラーの発生を防止することができる。
【図面の簡単な説明】
【図１】本発明が適用された記録再生装置を示す斜視図である。
【図２】記録再生装置のフロントパネルの表面側を示す斜視図である。
【図３】記録再生装置のフロントパネルの裏面側を示す斜視図である。
【図４】防塵蓋とフロントパネルとの係合状態を示す図である。
【図５】開口部を開放する方向に防塵蓋が回動されたフロントパネルを示す斜視図である。
【図６】防塵蓋により開口部を閉塞したフロントパネルを示す断面図である。
【図７】防塵蓋が取り外される状態を示す図である。
【図８】防塵蓋を回動させる状態を説明するための断面図である。
【図９】本発明が適用された記録再生装置と、従来の記録再生装置との防塵性能を比較した結果を示すグラフである。
【図１０】本発明が適用された他の記録再生装置の防塵蓋とフロントパネルとの係合状態を示す図である。
【図１１】上記他の記録再生装置の防塵蓋によって開口部が閉塞されたフロントパネルを示す図である。
【図１２】従来の磁気記録再生装置を示す斜視図である。
【符号の説明】
１  記録再生装置、２  ホスト機器、５  磁気テープカセット、６  装置本体、１４  フロントパネル、１５  開口部、１６  防塵蓋、１７  開放レバー、１９排気孔、２２  回動領域、２３  係止板、２５  蓋部材、２９  金属板、３０係合孔、３１  回動軸、３５  蓋本体部、３６  回動アーム、３７  矩形凹部、３８  マグネット、３９  長孔、４０  アーム部、４２  突起部、５１  レバー部、５２  押圧片、５３  回動支柱、６０  イジェクトスイッチ、６１  スイッチ板
【図１】
2004158140.tif 000003
【図２】
2004158140.tif 000004
【図３】
2004158140.tif 000005
【図４】
2004158140.tif 000006
【図５】
2004158140.tif 000007
【図６】
2004158140.tif 000008
【図７】
2004158140.tif 000009
【図８】
2004158140.tif 000010
【図９】
2004158140.tif 000011
【図１０】
2004158140.tif 000012
【図１１】
2004158140.tif 000013
【図１２】
2004158140.tif 000014